(57)【特許請求の範囲】
【請求項１】
他の部材の後方に隠れる退避位置と、前記他の部材から突出する露出位置との間で作動するとともに、発光部材を内蔵された電動役物、遊技者が押し込み操作可能な押しボタン、及び前記電動役物の動作を制御するとともに、前記押しボタンの押し込み操作を検出する操作検出部と、前記押しボタンの押し込み操作の検出に伴い前記電動役物を前記露出位置側へ所定の単位作動量だけ作動させるか否かを抽選する作動抽選部と、前記電動役物の作動を制御する作動制御部とを有する制御装置が備えられた遊技機であって、
前記制御装置は、特定の期間において、前記押しボタンが押し込み操作されている間に前記抽選を複数回繰り返し行い、前記抽選が当選となる度に、前記電動役物を前記単位作動量ずつ段階的に前記露出位置側へ作動させ、さらに前記露出位置において前記発光部材を発光させるとともに前記特定の期間の終了に伴い前記電動役物を前記退避位置へ戻す一方、
前記他の部材で、前記退避位置にある前記電動役物の前方となる位置に透光部が設けられており、
前記制御装置は、前記電動役物が前記退避位置にある場合にも前記発光部材を発光させることにより、前記透光部を光らせることを特徴とする遊技機。
【発明の詳細な説明】
【技術分野】
【０００１】
本発明は、たとえばパチンコ機やスロットマシーンといった遊技機に関するものである。
【背景技術】
【０００２】
従来、たとえば遊技機の一例であるパチンコ機には、通常時やリーチ演出時等に様々な態様で点灯／点滅する電飾部材が備えられている。また、従来一般的なパチンコ機には様々な電動役物が備えられている。該電動役物としては、ＬＥＤ等の発光部材を内蔵しているとともに、通常時には他部材の後方となる退避位置にあり、所定条件の成立をもって退避位置から露出位置へ移動し、発光部材を発光（点灯／点滅）させるように構成されたものがある（たとえば特許文献１）。
【先行技術文献】
【特許文献】
【０００３】
【特許文献１】特開２０１０−１５８３２６号公報
【発明の概要】
【発明が解決しようとする課題】
【０００４】
従来、退避位置と露出位置との間を移動するような上記電動役物では、退避位置において積極的に発光部材を発光させることはなかった。そのため、退避位置の近傍をライトアップしたい場合には、退避位置の近傍に別途電飾部材を備えなけらればならず、部材点数が多くなるため、コスト高になる等といった問題がある。
【０００５】
そこで、本発明は、上記問題に鑑みなされたものであって、電動役物の発光部材を退避位置においても発光させることにより構成の合理化を図ることができ、部品点数の削減を図ることができる遊技機を提供しようとするものである。
【課題を解決するための手段】
【０００６】
上記目的を達成するために、本発明は、他の部材の後方に隠れる退避位置と、前記他の部材から突出する露出位置との間で作動するとともに、発光部材を内蔵された電動役物、遊技者が押し込み操作可能な押しボタン、及び前記電動役物の動作を制御するとともに、前記押しボタンの押し込み操作を検出する操作検出部と、前記押しボタンの押し込み操作の検出に伴い前記電動役物を前記露出位置側へ所定の単位作動量だけ作動させるか否かを抽選する作動抽選部と、前記電動役物の作動を制御する作動制御部とを有する制御装置が備えられた遊技機であって、前記制御装置は、特定の期間において、前記押しボタンが押し込み操作されている間に前記抽選を複数回繰り返し行い、前記抽選が当選となる度に、前記電動役物を前記単位作動量ずつ段階的に前記露出位置側へ作動させ、さらに前記露出位置において前記発光部材を発光させるとともに前記特定の期間の終了に伴い前記電動役物を前記退避位置へ戻す一方、前記他の部材で、前記退避位置にある前記電動役物の前方となる位置に透光部が設けられており、前記制御装置は、前記電動役物が前記退避位置にある場合にも前記発光部材を発光させることにより、前記透光部を光らせることを特徴とする。
なお、上記発明において、図柄を表示可能な図柄表示部と、遊技球が入賞可能な図柄始動口と、遊技球が入賞可能な入賞部材とを備えており、前記遊技球の前記図柄始動口への入賞によって、大当たり抽選を実行するとともに前記図柄の変動時間を決定して前記図柄の変動を開始し、前記変動時間が経過すると、前記大当たり抽選の結果に応じて所定の確定図柄を表示した後、前記大当たり抽選の結果が大当たりである場合にのみ前記入賞部材を断続的に開成させる大当たり状態を生起させた遊技機とし、遊技球が上面を左右へ転動可能なステージと、遊技球を前記ステージ上へ導くワープ通路とを備えたセンター部材を、前記図柄表示部を囲むように設け、前記ワープ通路の少なくとも一部を前記透光部とするとともに、前記ステージの下方に前記図柄始動口を設ける一方、前記センター部材に、前記ワープ通路の後方が前記退避位置となるように前記電動役物を備えており、前記制御装置は、前記電動役物が前記退避位置にある場合にも前記発光部材を発光させることにより、前記ワープ通路の少なくとも一部を光らせるといった第１の構成を採用することも可能である。
そして、そのような第１の構成を採用し、ワープ通路の透光部を光らせることで、遊技者にワープ通路の位置をアピールすることができるといった効果がある。さらに、ワープ通路を遊技球が通過する度に、該遊技球によって発光部材の光が遮られるため、遊技者にしてみるとワープ通路が点滅しているかのように見え、遊技球がワープ通路を通過してステージ上へ導かれたこと、すなわちステージの下方にある図柄始動口への入賞の期待が高まるステージ上へ遊技球が導かれていることを遊技者にアピールすることができるといった効果もある。
また、上記発明や上記第１の構成を採用したものにおいて、前記発光部材がフルカラーで発光可能なＬＥＤであり、前記制御装置は、前記電動役物が前記退避位置にある場合と前記露出位置にある場合とで、前記発光部材を異なる色で発光させるといった第２の構成を採用することも可能である。
そして、そのような第２の構成を採用することにより、電動役物が退避位置にある場合と露出位置にある場合とで、発光部材を異なる色で発光させることができ、発光部材による発光演出を多様化することができるといった効果がある。
【発明の効果】
【０００７】
本発明によれば、他の部材で、退避位置にある電動役物の前方となる位置に透光部を設け、所定条件が成立しておらず、電動役物が退避位置にある場合にも発光部材を発光させることにより、透光部を光らせるため電飾部材として電動役物を機能させる。したがって、透光部を光らせる別途電飾部材を備える必要のない合理的な構成とすることができ、部材点数を削減することができるという効果がある。
加えて、特定の期間において、押しボタンが押し込み操作されている間に抽選を複数回繰り返し行い、抽選が当選となる度に、電動役物を単位作動量ずつ段階的に露出位置側へ作動させる。つまり、押しボタンのいわゆる長押し操作に応じて電動役物を段階的に作動させるという従来にない斬新な演出を行うことができ、趣向性の高い遊技機を遊技者に提供することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】電動役物が退避位置にある状態を示したセンター部材の一部拡大説明図である。
【図５】電動役物が第１演出位置にある状態を示したセンター部材の一部拡大説明図である。
【図６】電動役物が第２演出位置にある状態を示したセンター部材の一部拡大説明図である。
【図７】パチンコ機の制御機構を示したブロック図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる図柄を表示するための図柄表示部６が設けられている。さらに、図柄表示部６を囲むようにセンター部材２６が遊技盤２に設置されており、該センター部材２６には、図柄表示部６における演出等に関連して後述の如く作動する電動役物３５（図４に示す）、及び電動役物３５とは別個に独立して作動する種々の遊技役物２７、２７・・が取り付けられている。加えて、遊技領域１６には、一対の爪片を開閉動作可能に備えたチューリップ式電動役物１７、開閉可能な扉部材を有する大入賞装置１８、遊技球が通過可能なゲート部材１９や多数の遊技釘等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えた電飾部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、図柄表示部６に図柄を表示させるための液晶表示装置、遊技に係る主たる制御（たとえば、所謂「大当たり抽選」等）を実行するためのメイン制御装置２０（図７に示す）、図柄表示部６における表示動作等を制御する表示制御装置３０、電飾部材１５の点灯／点滅動作等を制御する発光制御装置３３（図７に示す）、スピーカ１４からの報音動作を制御する音制御装置３４、及び払出装置１２や表示制御装置３０、発光制御装置３３、音制御装置３４等の動作を統合的に制御するとともに、後述の如くして押しボタン２５の長押し操作に伴う電動役物３５の作動を制御するサブ制御装置２２（図７に示す）等が設置されている。尚、３１は、パチンコ機１をトランスに接続するためのプラグであり、３２は、アースである。
【００１４】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置２０にて「大当たり抽選」を行う。該「大当たり抽選」は、乱数から１つの数値を取得する態様で行われ、取得した数値に応じて、「大当たり」であるか「外れ」であるかを決定するとともに、図柄の変動時間を決定する。そして、「大当たり抽選」の結果、「大当たり」である場合には、決定した変動時間だけ図柄を変動表示させた後、図柄表示部６に所定の「大当たり図柄」（たとえば、「７、７、７」等）を確定表示させる。そして、大入賞装置１８の扉部材を所定回数にわたって断続的に開成させるといった所謂「大当たり状態」を生起させる。一方、「大当たり抽選」の結果、「外れ」である場合には、決定した変動時間だけ図柄を変動表示させた後、図柄表示部６に「外れ図柄」（たとえば、「１、２、１」等）を確定表示させる。また、図柄を変動開始してから確定表示するまでの間（たとえばリーチ演出中等）において、サブ制御装置２２による制御のもと、図柄表示部６において押しボタン２５の長押し操作を遊技者に促すとともに、該長押し操作に応じて後述の如く電動役物３５を作動させ、遊技者に「大当たり状態」生起の期待感を抱かせる。
【００１５】
（電動役物の構造、及び電動役物の作動を制御する制御機構の説明）
電動役物３５は、上述したようにセンター部材２６に設けられている。そこで、まずセンター部材２６について説明すると、センター部材２６は、種々の部材を四角環状に組み付けてなるもので、中央には図柄表示部６を露出させるための大開口が形成されている。該センター部材２６の下部には、その上面を遊技球が左右に転動可能としたステージ３６が設けられており、センター部材２６の左側部には、遊技領域１６を流下する遊技球をステージ３６上へ導くためのワープ通路３７が設けられている。そして、ワープ通路３７の後方に、電動役物３５が設置されている。尚、ワープ通路３７は、透光性を有する合成樹脂により成形されている。また、ステージ３６の下方に、チューリップ式電動役物１７が設置されており、ステージ３６上に導かれた遊技球は比較的高い確率でチューリップ式電動役物１７へ入賞するようになっている。
【００１６】
次に、上記電動役物３５について、図４〜図６をもとに説明する。図４は、電動役物３５が退避位置Ｘにある状態を示したセンター部材２６の一部拡大説明図であり、図５及び図６は、電動役物３５が演出位置Ｙ、Ｚにある状態を示したセンター部材２６の一部拡大説明図である。
電動役物３５は、先端部３５ａが矢印状に形成された棒状体であって、基端部を軸として遊技盤２に平行な面内（略鉛直面内）で回動可能に取り付けられている。また、電動役物３５内には、先端部３５ａ内を含め、フルカラーで発光可能な複数のＬＥＤ３８、３８・・が設置されている。そして、該電動役物３５は、先端部３５ａが下方へ向いた姿勢となり電動役物３５全体がセンター部材３５の後方に隠れる退避位置Ｘ（図４）と、回動することによって先端部３５ａが図柄表示部６の前方へ進出する演出位置Ｙ、Ｚ（図５、図６）との間で回動可能に軸着されている。なお、退避位置Ｘにおいては、先端部３５ａがワープ通路３７の後方に位置している。
【００１７】
一方、電動役物３５を作動させるための制御機構について図７をもとに説明する。図７は、パチンコ機１の制御機構を示したブロック図である。
メイン制御装置２０には、大当たり抽選の実行とともに下記部材の動作を制御するメインＣＰＵ４１、ＲＯＭやＲＡＭ等といった記憶手段４２、タイマ４３、及びインターフェイス４４等が搭載されたメイン制御基板４０が内蔵されている。そして、該メイン制御基板４０は、インターフェイス４４を介して、チューリップ式電動役物１７や大入賞装置１８、ゲート部材１９、払出制御装置２８、電源装置２９等と接続されている。また、メイン制御基板４０は、サブ制御装置２２内に内蔵されたサブ統合基板４５とも接続されている。
【００１８】
サブ統合基板４５は、サブ統合ＣＰＵ４６、記憶手段４７、インターフェイス４８、タイマ４９等を備えている。該サブ統合基板４５には、インターフェイス４８を介して、メイン制御基板４０が接続されているとともに、表示制御装置３０、発光制御装置３３、及び音制御装置３４が接続されており、メイン制御基板４０から大当たり抽選に係る信号を受信すると、その信号の内容に応じてスピーカ１４や電飾部材１５の動作、図柄表示部６における表示動作を制御するようになっている。また、サブ統合基板４５には、インターフェイス４８を介して、押しボタン２５及び電動役物３５が接続されており、サブ統合ＣＰＵ４６には、押しボタン２５の操作を検出するオン／オフ検出部５１、押しボタン２５の操作に応じて電動役物３５を作動させるか否かを決定するための作動抽選部５０、及び電動役物３５の位置（回動角度）を検知する位置検知部５２が備えられている。
【００１９】
（電動役物の作動内容）
パチンコ機１では、たとえば遊技球が遊技領域１６内へ打ち込まれていない所謂デモ時や、後述するような押しボタン２５を利用した演出時以外の時に、サブ制御装置２２による制御のもと、退避位置Ｘにある電動役物３５のＬＥＤ３８、３８・・を白色で点灯（発光）させており、ワープ通路３７を光らせる電飾部材として電動役物３５を機能させている。したがって、特に先端部３５ａに内蔵されたＬＥＤ３８がワープ通路３７を光らせることになり、遊技者にワープ通路３７の位置をアピールすることができる。また、ワープ通路３７を遊技球が通過する度に、該遊技球によってＬＥＤ３８の光が遮られるため、遊技者にしてみるとワープ通路３７が点滅しているかのように見え、遊技球がワープ通路３７を通過してステージ３６上へ導かれたこと、すなわちチューリップ式電動役物１７への入賞の期待が高まるステージ３６上へ遊技球が導かれていることを遊技者にアピールすることができる。
【００２０】
また、パチンコ機１では、遊技球のチューリップ式電動役物１７への入賞を契機として実行する大当たり抽選において「大当たり」又は「外れ」となった際に、図柄表示部６において図柄の変動を開始してから所定の「大当たり図柄」又は「外れ図柄」で確定表示するまでの間に、押しボタン２５を利用した電動役物３５による演出を実行する。以下、電動役物３５の作動内容について詳述する。
【００２１】
サブ制御装置２２では、メイン制御装置２０で実行した大当たり抽選の結果、「大当たり」又は「外れ」に拘わらず図柄の変動時間として所定の変動時間が選択された場合（所定条件の成立）に、電動役物３５による演出の実行を決定する。尚、図柄の変動時間が所定の変動時間であるか否かについて、サブ制御装置２２は、大当たり抽選に伴いメイン制御装置２０から送信されてくる信号によって把握する。
そして、電動役物３５による演出の実行を決定すると、予め定められた所定のタイミング（たとえばリーチの確定後等）において、図柄表示部６の略中央部に、押しボタン２５の長押しを促すメッセージ表示（たとえば「ボタンを押し続けろ！」等）を表示するとともに、図柄表示部６における電動役物３５の先端部３５ａの移動軌跡上に、当該変動に係る「大当たり抽選」の内容が「大当たり」である、すなわち「大当たり状態」が生起する期待度に係る期待度表示Ａを表示させる（図４）。尚、電動役物３５は、押しボタン２５が押し込み操作されるまで退避位置Ｘにある。また、電動役物３５による演出の実行の決定に伴い、サブ制御装置２２は、ＬＥＤ３８、３８・・を上記白色とは異なる色（たとえば赤色）で点灯させる。
【００２２】
そこで、遊技者により押しボタン２５が押し込み操作されると、押しボタン２５の下方に設置されているスイッチ（図示せず）がオンされる。すると、サブ制御装置２２は、オン／オフ検出部５１により押しボタン２５の押し込み操作を検出し、オンの検出に伴い作動抽選部５０により電動役物３５を所定の単位角度だけ作動させるか否かを抽選する。そして、該抽選の結果が当選であると、電動役物３５を期待度が増す側へ所定の単位角度だけ作動させる。一方、抽選の結果が外れであると、電動役物３５を作動させずに現在の位置のままとする。なお、この抽選は、たとえば乱数から所定の数値を取得するとともに、該数値が当選数値であるか否かを判定する等によって行っており、当選確率は９０／１００となっている。また、１回目の作動で、電動役物３５は退避位置Ｘから露出位置へ移動することになる。
【００２３】
また、サブ制御装置２２では、押しボタン２５の押し込み操作の検出及び電動役物３５を作動させるか否かの抽選を極めて短時間毎（たとえば０．２秒）に繰り返し行っており、押しボタン２５を長押し操作することによって、電動役物３５は抽選に当選する度に所定の単位角度ずつ段階的に作動する。そして、計１０回の当選により、電動役物３５は図５に示す第１演出位置（露出位置、第１特定位置）Ｙへと到達する。なお、理論上は、押しボタン２５を長押し操作せずとも上記抽選の間隔と同じスピードで押しボタン２５を断続的に操作（いわゆる連打操作）することで同じ制御が実行されるものの、現実的には、そのようなスピードで押しボタン２５を断続的に押し込み操作することは略不可能であり、そのような遊技形態を念頭においてはいない。
【００２４】
次に、サブ制御装置２２では、位置検知部５２により電動役物３５が第１演出位置Ｙへ到達したことを検知すると、電動役物３５を作動させるか否かの抽選における当選確率を「大当たり抽選」の結果に応じて変更する。具体的には、たとえば「大当たり抽選」の結果が「外れ」であるような場合には当選確率を５／１００まで大幅に下げる一方、「大当たり抽選」の結果が「大当たり」であるような場合には当選確率を２０／１００までしか下げない。そして、「大当たり抽選」の結果がどうであれ、電動役物３５が一旦第１演出位置Ｙで停止しやすく、且つ、第１演出位置Ｙを超えて更に作動しづらい遊技状況を発生させる。なお、電動役物３５を作動させるか否かの抽選そのものに関しては、押しボタン２５の押し込み操作が検出されている限り、上記同様に極めて短時間毎に繰り返し行っている。
【００２５】
さらに、サブ制御装置２２では、電動役物３５が第１演出位置Ｙにある状態において電動役物３５を作動させるか否かの抽選が当選となり、電動役物３５を第１演出位置Ｙから更に期待度が高くなる方向へ１段階（所定の単位角度だけ）作動させる（第２特定位置に達する）と、再び「大当たり抽選」の結果に応じて、その抽選の当選確率を変更する。具体的には、たとえば「大当たり抽選」の結果が「外れ」であるような場合には当選確率を１／１００まで更に下げる一方、「大当たり抽選」の結果が「大当たり」であるような場合には当選確率を５０／１００まで上昇させる。そして、極めて短時間で繰り返し行う電動役物３５を作動させるか否かの抽選を継続し、その当否に応じて電動役物３５を作動させ、更に９回の当選により期待度ＭＡＸを示す第２演出位置Ｚ（露出位置）に電動役物３５が達すると、サブ制御装置２２では、発光制御装置３３を介して電飾部材１５を所定の色や態様で点灯／点滅させるとともに、音制御装置３４を介してスピーカ１４から所定の効果音や音声を報音する等し、「大当たり」の期待感を高める演出を行う。
【００２６】
なお、上記電動役物３５による演出は、図柄表示部６に押しボタン２５を操作するように促す表示を行ってから所定の遊技時間（特定の期間であって、たとえば１５秒間とし、タイマ４９により計時する）にわたって行われ、遊技時間が経過すると、電動役物３５の作動や抽選、上記電飾部材１５等による報知を停止するとともに、電動役物３５をそれまでと逆方向へ作動させて退避位置Ｘへと戻す。なお、遊技時間は図柄の変動時間より短く設定されており、図柄表示部６に「大当たり図柄」や「外れ図柄」が確定表示される前に電動役物３５による演出を終了するようになっている。したがって、サブ制御装置２２は、電動役物３５を退避位置Ｘまで戻した後、更なるリーチ演出や外れ演出を図柄表示部６において行ってから、最終的に「大当たり図柄」や「外れ図柄」を確定表示させる。
【００２７】
また、上記電動役物３５による演出中、サブ制御装置２２は、内蔵されているＬＥＤ３８、３８・・を退避位置Ｘで電飾部材として機能している場合とは異なる色（たとえば赤色）で点灯させ、電動役物３５が第２演出位置Ｚに達するとＬＥＤ３８、３８・・を点滅させる。そして、上記遊技時間が経過すると一旦ＬＥＤ３８、３８・・を消灯させ、電動役物３５を退避位置Ｘに戻した後、再びＬＥＤ３８、３８・・を白色で点灯させる。
【００２８】
（本実施形態のパチンコ機による効果）
上述したような電動役物３５を有するパチンコ機１によれば、退避位置Ｘにある電動役物３５の前方を被覆するワープ通路３７に透光性を備えるとともに、退避位置Ｘにおいても電動役物３５のＬＥＤ３８を発光させ、ワープ通路３７を光らせる電飾部材としても電動役物３５を機能させる。したがって、ワープ通路３７を光らせる別途電飾部材を備える必要のない合理的な構成とすることができ、部材点数を削減することができるという効果がある。
【００２９】
また、ワープ通路３７を光らせることで、遊技者にワープ通路３７の位置をアピールすることができる。さらに、ワープ通路３７を遊技球が通過する度に、該遊技球によってＬＥＤ３８の光が遮られるため、遊技者にしてみるとワープ通路３７が点滅しているかのように見え、遊技球がワープ通路３７を通過してステージ３６上へ導かれたこと、すなわちチューリップ式電動役物１７への入賞の期待が高まるステージ３６上へ遊技球が導かれていることを遊技者にアピールすることができる。
加えて、電動役物３５に内蔵するＬＥＤ３８、３８・・をフルカラーで発光可能なＬＥＤとしているため、退避位置Ｘにおいてワープ通路３７を光らせている場合と、作動して露出位置で演出する場合とで色を異ならせることができ、ＬＥＤ３８による発光演出の多様化を図ることができる。
【００３０】
また、上述したような押しボタン２５及び電動役物３５を用いた演出を実行するパチンコ機１によれば、押しボタン２５を長押し操作している間に、サブ制御装置２２において電動役物３５を作動させるか否かの抽選を極めて短時間毎に繰り返し実行し、該抽選に当選することをもって電動役物３５を所定の単位角度ずつ段階的に作動させるといった演出を行う。したがって、押しボタン２５の長押し操作に応じて電動役物３５を段階的に作動させるという従来にない斬新な演出を行うことができ、趣向性の高いパチンコ機を遊技者に提供することができる。
【００３１】
さらに、電動役物３５の作動位置が大当たり抽選において「大当たり」となっている期待度を表しているとともに、電動役物３５が第１演出位置Ｙに達すると、電動役物３５を作動させるか否かの抽選に係る当選確率を減少させ、第１演出位置Ｙから更に期待度が高まる側へ電動役物３５が作動するという状況を発生しづらくする。したがって、遊技者は、電動役物３５が第１演出位置Ｙから更に作動するか否かに関して興味をもって遊技することができ、趣向性の更なる向上を図ることができる。
【００３２】
さらにまた、電動役物３５が第１演出位置Ｙに達し、電動役物３５を作動させるか否かの抽選に係る当選確率を減少させるに際し、「大当たり抽選」の結果が「大当たり」であるか「外れ」であるかに応じて減少させる割合を異ならせており、「大当たり」である場合の方が「外れ」である場合よりも第１演出位置Ｙを超えて更に作動しやすくしている。したがって、遊技者は、電動役物３５が第１演出位置Ｙに達した後、「大当たり抽選」の結果を予測しながら電動役物３５の作動に興味をもって遊技することができ、趣向性の更なる向上を図ることができる。
【００３３】
加えて、第１演出位置Ｙを超えてから期待度が最大となる第２演出位置Ｚに到達するまでの間において、電動役物３５を作動させるか否かの抽選に係る当選確率を「大当たり抽選」の結果が「大当たり」であるか「外れ」であるかに関連づけて変更し、「大当たり」である場合を「外れ」である場合と比較して電動役物３５を作動させやすくしている。したがって、「大当たり」である場合には比較的に第２演出位置Ｚまで到達しやすい一方、「外れ」であるにも拘わらず頻繁に第２演出位置Ｚまで到達してしまうといった事態は起こりにくく、遊技者に不快感を抱かせにくい遊技とすることができる。
【００３４】
（本発明の変更例の説明）
なお、本発明の遊技機に係る構成は、上記実施形態に何ら限定されるものではなく、遊技機そのものの構成、電動役物の形状や電動役物の作動態様等について、本発明の趣旨を逸脱しない範囲で必要に応じて適宜変更可能である。
【００３５】
たとえば、上記実施形態では、第２演出位置Ｚが期待度ＭＡＸとしているが、第１演出位置Ｙを期待度ＭＡＸとし、該第１演出位置Ｙを超えて第２演出位置Ｚ側へ作動するにつれて期待度が下がってしまうような構成としてもよく、その場合、たとえば「大当たり抽選」の結果が「大当たり」である場合の方が「外れ」である場合よりも電動役物３５を作動させるか否かの抽選に係る当選確率を低くする等、抽選の当選確率をどのように変更するかは遊技に応じて適宜変更可能である。
【００３６】
また、上記実施形態では、電動役物３５の作動を大当たり抽選の期待度に関連づけているが、大当たり抽選以外の期待度（たとえば確変であるか否かの期待度）に電動役物３５の作動を関連づけても何ら問題はない。
さらに、上記実施形態では、図柄が変動開始してから確定表示されるまでの間に電動役物３５を作動させる遊技を実行するように構成しているが、たとえば「大当たり状態」中に同様の遊技を実行してもよい。そして、この場合には、上述したように電動役物３５の作動を、「大当たり状態」が確変大当たりによるものであるか否かの期待度や「大当たり状態」の終了後に付与される時短回数の大小の期待度、その後に生起する遊技状態が遊技者にとって有利であるか否かの期待度に関連づければよい。
【００３７】
さらにまた、上記実施形態では、第１演出位置Ｙに達した時点、及び第１演出位置Ｙを超えて作動してから第２演出位置Ｚに達するまでの間の２回において、電動役物３５を作動させるか否かの抽選に係る当選確率を変更しているが、３回以上にわたって当選確率を変更してもよいし、当選確率を変更することなく一律としたり、当選確率を変更する際に「大当たり抽選」の結果と関連づけないといった構成を採用することも可能である。
またさらに、上記実施形態では、電動役物３５を所定の単位角度ずつ回動させるという構成を採用しているが、たとえば図柄表示部６の中央へ向けて所定の単位量ずつ段階的に突出していく（直線的に作動する）ような作動態様としてもよいし、初期位置に関しても上記実施形態とは異なり電動役物３５が露出していてもよく、電動役物３５の作動態様については適宜設計変更可能である。
また、上記実施形態では、電動役物３５の退避位置Ｘからの合計の作動量と、大当たり状態が生起する期待度とを関連づける期待度表示Ａを図柄表示部６にて表示しているが、期待度表示Ａを表示するための表示部（若しくは表示装置）を図柄表示部６とは別に設けてもよい。
【００３８】
さらに、段階的な作動に加え、抽選の結果が特定の結果になると、その時点での作動位置から第２演出位置Ｚまで、たとえ途中に第１演出位置Ｙがあったとしても停止することなく作動するような演出を実行しても何ら問題はないし、上記実施形態では電動役物３５を常に同じ単位角度だけ作動させるように構成しているが、電動役物３５の単位作動量（すなわち、１回の作動で動く距離や角度）を、電動役物３５の位置や抽選における当選回数等に応じて徐々に増やしたり又は減少させたりしてもよい。
さらにまた、ワープ通路３７の後方を退避位置Ｘとする必要はなく、電動役物３５の発光部材で光らせたい別の箇所を退避位置としても何ら問題はないし、電動役物３５に内蔵する発光部材の数や種類等は勿論、退避位置での発光態様についても適宜設計変更可能である（すなわち、退避位置において発光部材を点滅させても何ら問題はない）。またさらに、上記実施形態では透光性を有する合成樹脂によりワープ通路３７を形成することで透光部を設けているが、たとえば退避位置にある電動役物３５のＬＥＤ３８が露出する透光孔を透光部として設けてもよい。したがって、ワープ通路３７に透光部を設けるにあたっては、その全体を透光部として構成してもよいし、少なくとも一部が透光部となる（すなわち、ワープ通路３７に透光孔が穿設されている等）ように構成しても何ら問題はない。
加えて、上記実施形態では、遊技機として押しボタンを備えたパチンコ機を採用しているが、押しボタンを備えてさえいれば、たとえばスロットマシーン等の他の遊技機に適用することも可能である。
【符号の説明】
【００３９】
１・・パチンコ機（遊技機）、２・・遊技盤、１４・・スピーカ、１５・・電飾部材、１７・・チューリップ式電動役物（図柄始動口）、１９・・大入賞装置（入賞部材）、２０・・メイン制御装置、２２・・サブ制御装置（制御装置）、２５・・押しボタン、２６・・センター部材、３０・・表示制御装置、３３・・発光制御装置、３４・・音制御装置、３５・・電動役物、３５ａ・・先端部、３７・・ワープ通路（透光部）、３８・・ＬＥＤ（発光部材）、４０・・メイン制御基板、４１・・メインＣＰＵ、４５・・サブ統合基板、４６・・サブ統合ＣＰＵ（作動制御部）、４７・・記憶手段、４９・・タイマ、５０・・作動抽選部、５１・・オン／オフ検出部（操作検出部）、５２・・位置検知部、Ａ・・期待度表示、Ｘ・・退避位置、Ｙ・・第１演出位置（露出位置）、Ｚ・・第２演出位置（露出位置）。
【図１】
0005887606.tif 000002
【図２】
0005887606.tif 000003
【図３】
0005887606.tif 000004
【図４】
0005887606.tif 000005
【図５】
0005887606.tif 000006
【図６】
0005887606.tif 000007
【図７】
0005887606.tif 000008